(57)【特許請求の範囲】
【請求項１】
圧縮要素（１２）と三相電動機（１３）とをケーシング（１１）に内装した圧縮機（１）の油溜り（１０）に、液冷媒が寝込むのを防ぐ液溜り防止装置であって、前記油溜り（１０）への液冷媒の寝込みを検出する寝込み検出手段（６）と、前記油溜り（１０）の近くの前記ケーシング（１１）の胴体温度の温度勾配より前記油溜り（１０）からの液冷媒の排出を検出する液排出検出手段（７）と、前記寝込み検出手段（６）による液冷媒の寝込み検出時、前記三相電動機（１３）を欠相通電して加熱させ、かつ、この加熱を予め設定する設定時間ごとにオン・オフ制御し、前記液排出検出手段（７）による液冷媒の排出検出時、前記加熱を停止する加熱制御手段（８）とを備えていることを特徴とする圧縮機の液冷媒排出装置。
【請求項２】
寝込み検出手段（６）は、油溜り（１０）を含むケーシング（１１）の胴体温度（Ｔ１）を検出する第１温度検出センサー（６１）と、圧縮機（１）の吸入側に接続される熱交換器（４）を含む周囲温度（Ｔ２）を検出する第２温度検出センサー（６２）とを備え、前記胴体温度（Ｔ１）が予め設定する設定温度（Ｔ０）より低いときと、前記周囲温度（Ｔ２）と胴体温度（Ｔ１）との温度差（ΔＴ）が、予め設定する設定温度差（ΔＴ０）以上のときとの何れか一方が満足するとき、寝込み信号を出力するようにしている請求項１記載の圧縮機の液冷媒排出装置。
【発明の詳細な説明】
【０００１】
【産業上の利用分野】
本発明は圧縮機の液冷媒排出装置、詳しくは、圧縮機の運転停止時に、その油溜りの油中に液冷媒が溶け込んで寝込むのを防止する圧縮機の液冷媒排出装置に関する。
【０００２】
【従来の技術】
一般に、圧縮機に室内及び室外側熱交換器を冷媒配管で接続した冷凍装置においては、前記圧縮機の運転停止時に、前記冷凍装置の最も冷却された部分に冷媒が移動して凝縮する傾向があり、例えば夜間時などに暖房運転を停止したときには、前記室内側熱交換器の方が前記圧縮機や室外側熱交換器に較べ温度が高いため、これら圧縮機や室外側熱交換器の方に前記室内側熱交換器内の冷媒が移動し、また、朝方になって外気温度が上昇すると、前記圧縮機の熱容量は前記室外側熱交換器よりも大きく、この室外側熱交換器の方が早く温度上昇することから、該室外側熱交換器内の冷媒が温度の低い前記圧縮機側へと移動して凝縮し、この圧縮機のケーシング内に設けた油溜りの油中に液冷媒が溶け込んで寝込むのであり、この結果、前記液冷媒が前記油溜り内の油を希釈したり、また、前記圧縮機の再起動を行うとき、前記油溜り内の油中に溶け込んだ液冷媒が気泡状となって溶出することによりフォーミング現象が発生したり、或いは、液冷媒を圧縮要素が直接吸いこむことにより液圧縮が発生し、圧縮機の故障の原因になったりしている。
【０００３】
しかして、従来では、前記圧縮機への液溜りを防止するため、前記圧縮機のケーシング内にクランクケースヒータを設け、このヒータで前記ケーシング内の油溜りを加熱して、該油溜りの油中に液冷媒が溶け込むのを防止し、また、油中に溶け込んだ液冷媒を速やかに外部排出させることにより、前記油溜りに液冷媒が寝込むのを防止するようにした液冷媒排出装置が知られている。
【０００４】
ところが、以上のようにクランクケースヒータを使用する場合、該ヒータの発熱量は小さく、前記油溜りの油中に溶け込んだ液冷媒を排出するのに時間がかかるため、前記ヒータには常時通電させる必要があり、従って、たとえ前記油中に液冷媒が溶け込んでいなときでも前記ヒータへの通電が行われてランニングコストが高くなる問題があった。
【０００５】
そこで、以上のような問題を解決することを目的として、特開平５ー２７２８２４号公報に記載された液冷媒排出装置が提案された。この液冷媒排出装置は、図３で示したように、圧縮要素と三相電動機とを備えた圧縮機Ａに、ファンＢ０が付設された室内側コイルＢと、同じくファンＣ０が付設された室外側コイルＣとをそれぞれ切換弁Ｄを介して接続すると共に、前記圧縮機Ａの冷媒吐出ラインに冷媒吐出温度を検出する第１温度センサーＥを、また、前記室外側コイルＣの近くに周囲温度を検出する第２温度センサーＦをそれぞれ配設する一方、これら第１及び第２温度センサーＥ，Ｆをユニット制御装置Ｇに接続し、このユニット制御装置Ｇを前記圧縮機Ａの駆動制御装置Ｈに接続させたものである。尚、同図中、Ｉは前記室内及び室外側コイルＢ，Ｃ間に配設された膨張弁である。
【０００６】
そして、前記第２温度センサーＦで検出される検出温度と予め設定された第２設定温度（例えば２０〜３０℃）とを比較して、この第２設定温度に対し前記第２温度センサーＦによる検出温度が下回るとき、前記第１温度センサーＥで検出される検出温度を予め前記第２設定温度よりも低めに設定された第１設定温度（例えば１０〜２０℃）と比較して、この第１設定温度に対し前記第１温度センサーＥによる検出温度が下回るとき、前記ユニット制御装置Ｇから前記圧縮機Ａの駆動制御装置Ｈに出力信号を出力して、この圧縮機Ａに内装された三相電動機の各コイル巻線に、それぞれ電動機を回転駆動させない程度の低い電圧で通電することにより前記各巻線を発熱させ、これら各巻線の発熱で前記ケーシングの内部を加熱することにより、その油溜り中の油に液冷媒が溶け込んで寝込むのを防止するようにしている。
【０００７】
【発明が解決しようとする課題】
ところが、以上の液冷媒排出装置は、前記第２温度センサーＦによる検出温度が前記第２設定温度に対し下回り、かつ、前記第１温度センサーＥで検出される検出温度が前記第２設定温度よりも低めに設定された第１設定温度に対して下回る条件を満足したとき、前記ユニット制御装置Ｇから前記圧縮機Ａの駆動制御装置Ｈに出力信号を出力して、この圧縮機Ａに内装された三相電動機の各コイル巻線に低電圧通電して発熱させることにより前記油溜り中の油中に液冷媒が溶け込むのを防止するようにしたものであるため、前述した特定条件下にある限りは前記電動機への低電圧通電が継続されるのであり、従って、以上のようにする場合でも通電時間が長くなって電気代が高くなったのである。
【０００８】
本発明の目的は、三相電動機への欠相通電時間を少なくして、少ない電気代でランニングコストを低廉にできながら、ケーシング内の油溜りに液冷媒が寝込むのを防止できる圧縮機の液冷媒排出装置を提供することにある。
【０００９】
【課題を解決するための手段】
上記目的を達成するため、本発明は、圧縮要素１２と三相電動機１３とをケーシング１１に内装した圧縮機１の油溜り１０に、液冷媒が寝込むのを防ぐ液冷媒排出装置であって、前記油溜り１０への液冷媒の寝込みを検出する寝込み検出手段６と、油溜り１０の近くのケーシング１１の胴体温度の温度勾配より前記油溜り１０からの液冷媒の排出を検出する液排出検出手段７と、前記寝込み検出手段６による液冷媒の寝込み検出時、前記三相電動機１３を欠相通電して加熱させ、かつ、この加熱を予め設定する設定時間ごとに制御し、前記液排出検出手段７による液冷媒の排出検出時、前記加熱を停止する加熱制御手段８とを備えたのである。
【００１０】
また、前記寝込み検出手段６は、前記油溜り１０を含むケーシング１１の胴体温度Ｔ１を検出する第１温度検出センサー６１と、前記圧縮機１の吸入側に接続される熱交換器４を含む周囲温度Ｔ２を検出する第２温度検出センサー６２とを備え、前記胴体温度Ｔ１が予め設定する設定温度Ｔ０より低いときと、前記周囲温度Ｔ２と胴体温度Ｔ１との温度差ΔＴが、予め設定する設定温度差ΔＴ０以上のときとの何れか一方が満足するとき、寝込み信号を出力するようにしたものである。
【００１１】
【作用】
請求項１記載の発明によれば、前記ケーシング１１の油溜り１０に液冷媒の寝込みが発生したとき、その寝込みが前記寝込み手段６で検出され、この検出結果に基づく前記加熱制御手段８からの出力信号により前記三相電動機１３に欠相通電させ、この欠相通電による発熱で前記ケーシング１の油溜り１０を加熱し、また、該油溜り１０の加熱を前記加熱制御手段８で設定された所定の設定時間ごとに断続的に加熱制御し、そして、斯かる加熱制御により前記油溜り１０から液冷媒が排出され、その排出が前記液排出検出手段７で検出されたとき前記加熱制御手段８による加熱を停止するようにしたから、前記電動機１３に欠相通電して前記油溜り１０を加熱する際、従来のように、各温度検出センサーで検出される検出温度と予め設定された設定温度とが特定の条件下にある限り連続して行うのではなく、前記電動機１３への欠相通電は前記加熱制御手段８で設定された所定設定時間ごとに断続的に行われ、しかも、前記液排出検出手段７が作動したときには前記電動機１３の加熱を停止させられるのである。
【００１２】
従って、以上のような加熱を行うにも拘らず不必要なとき、つまり液冷媒が寝込んでいない時には通電しないから、前記三相電動機１３に悪影響を及ぼしたりすることなく、この電動機１３への通電時間を少なくして、少ない電気代でランニングコストを低廉にできながら、前記ケーシング１１内の油溜り１０に液冷媒が寝込むのを防止することができるのである。
【００１３】
しかも、前記油溜り１０を加熱するに際して、従来のように三相電動機の各巻線にそれぞれ低電圧通電する場合には、前記各巻線に高電圧をかけることはできず、この結果、該各巻線による発熱量が不足気味となって、前記油溜り内の液冷媒を確実に排出するためには、前記各巻線への低電圧通電時間を長くする必要があったのに対し、本発明では、前記三相電動機１３に欠相通電させて発熱させるのであるから、前記各巻線の一部に高電圧をかけられ、従って、欠相通電による発熱量を低電圧通電に比較して増大させることができ、このため、これら各巻線の発熱により前記油溜り１０内の液冷媒を短時間で確実に排出できるのであって、このことによっても電気代を少なくできるのである。
【００１４】
また、請求項２記載によれば、前記寝込み検出手段６が、前記液溜り１０を含むケーシング１１の胴体温度Ｔ１を検出する第１温度検出センサー６１と、前記圧縮機１の吸入側に接続される熱交換器４を含む周囲温度Ｔ２を検出する第２温度検出センサー６２とを備え、前記胴体温度Ｔ１が予め設定する設定温度Ｔ０より低いときと、前記周囲温度Ｔ２と胴体温度Ｔ１との温度差ΔＴが、予め設定する設定温度差ΔＴ０以上のときとの何れか一方を満足するとき、寝込み信号を出力するようにしているため、前記圧縮機１の油溜り１０に液冷媒の寝込みが発生しているのを直接的に、また、正確に検出でき、この寝込み信号に基づき前記三相電動機１３への単相通電が行われて前記油溜り１０を加熱するのであるから、前記三相電動機１３への欠相通電時間をより少なくでき、電気代の節約を一層効果的に行うことができてランニングコストを低廉にできながら、前記油溜り１０への液冷媒の寝込みを一層良好かつ正確に防止できるのである。
【００１５】
【実施例】
図１の実施例はヒートポンプ式冷凍装置を示しており、この冷凍装置は、圧縮機１、四路切換弁２、ファン３１が付設された室内外側熱交換器３、同じくファン４１が付設された室外側熱交換器４をそれぞれ冷媒配管で接続して構成されており、また、前記圧縮機１は、底部に油溜り１０をもつ密閉ケーシング１１に、圧縮要素１２と、該圧縮要素１２を駆動する三相電動機１３とを内装している。尚、図1中、５は前記各熱交換器３，４間の冷媒配管に介装された膨張弁である。
【００１６】
そして、以上の冷凍装置により冷房運転を行う場合には、前記四路切換弁２を同図点線で示すように切換えて、前記圧縮機１からの吐出冷媒を前記室外側熱交換器４から室内側熱交換器３に送って室内冷房を行い、また、暖房運転を行うときには、前記四路切換弁２を同図実線のように切換えて、前記圧縮機１からの吐出冷媒を前記室内側熱交換器３から室外側熱交換器４に送って室内暖房を行うのである。
【００１７】
しかして、以上のような暖房運転を行った後に運転停止したようなとき、前記ケーシング１１に設けた油溜り１０の油中に液冷媒が寝込むのを防止する液冷媒排出防止装置を、次の構造したのである。
【００１８】
即ち、この液冷媒排出装置は、前記ケーシング１の油溜り１０への液冷媒の寝込みを検出する寝込み検出手段６と、前記油溜り１０からの液排出を検出する液排出検出手段７と、前記寝込み検出手段６による液冷媒の寝込み検出時、前記三相電動機１３に設ける各コイル巻線のうち二相の巻線に単相通電して加熱させ、かつ、この加熱を予め設定する設定時間ごとに制御し、前記液排出検出手段７による液冷媒の排出検出時に加熱を停止する加熱制御手段８とを設けたのである。
【００１９】
更に詳記すると、図1に示した実施例における前記寝込み検出手段６は、前記ケーシング１１の胴体一部で前記油溜り１０の近くに配設され、前記ケーシング１１の胴体温度Ｔ１を検出する第１温度検出センサー6１と、前記室外側熱交換器４の近くに配設され、該熱交換器４近くの周囲温度を検出する第２温度検出センサー6２とを備え、これら各温度検出センサー6１，6２を前記加熱制御手段８に接続しており、そして、前記第１温度検出センサー6１で検出される胴体温度Ｔ１が予め設定する設定温度Ｔ０より低い第１条件（Ｔ１＜Ｔ０）のときと、前記第２温度検出センサー6２で検出される周囲温度Ｔ２と前記胴体温度Ｔ１との温度差ΔＴが、予め設定する設定温度差ΔＴ０以上の第２条件（ΔＴ≧ΔＴ０）との少なくとも何れか一方の条件を満足するとき、前記油溜り１０に液冷媒の寝込みが発生していると判断して、前記加熱制御手段８から寝込み信号を出力し、前記三相電動機１３の欠相通電で前記油溜り１０を加熱することにより、この油溜り１０の油中に混入する液冷媒を排出して、該液冷媒の前記油溜り１０への寝込みを防止するようになすのである。
【００２０】
また、前記加熱制御手段８と前記圧縮機１の三相電動機１３との間には、該電動機１３における各相のコイル巻線から引出された３本の第１〜第３リード線Ｕ，Ｖ，Ｗの中間にそれぞれ第１〜第３スイッチＳ１，Ｓ２，Ｓ３を介装して、これら各スイッチＳ１，Ｓ２，Ｓ３を前記加熱制御手段８からの指令に基づきオン動作させることにより、前記電動機１３の各コイル巻線に通電させ、該電動機１３を回転駆動させて前記圧縮要素１２の圧縮運転を行い、また、前記コントローラ６からの指令に基づき前記各スイッチＳ１，Ｓ２，Ｓ３をオフ動作させることにより、前記電動機１３の各巻線への通電を遮断して前記圧縮要素１２の回転駆動を停止させるようにしている。
【００２１】
そして、前記各リード線Ｕ，Ｖ，Ｗのうち、例えば第２及び第３リード線Ｖ，Ｗに、前記第２，第スイッチＳ２，Ｓ３を短絡する短絡線Ｃ１，Ｃ２を、前記スイッチＳ１，Ｓ２に対し並列状に接続して、これら各短絡線Ｃ１，Ｃ２に第４及び第５スイッチＳ４，Ｓ５をそれぞれ介装して、前記第１〜第３スイッチＳ１，Ｓ２，Ｓ３がオフ動作され、前記電動機１３への通電が遮断されて前記圧縮機１の運転が停止されている場合で、前記各温度検出センサー６１，６２の検出結果に基づき前記加熱制御手段８が、前記第１条件（Ｔ１＜Ｔ０）と第２条件（ΔＴ≧ΔＴ０）との何れか一方を満足していることを確認したとき、前記加熱制御手段８から液冷媒の寝込み信号が出力され、前記第４，第５スイッチＳ４，Ｓ５がオン動作させられ、このオン動作により、前記電動機１３の２つのコイル巻線に通電させて欠相通電が行われるのである。従って、この欠相運転による前記各コイル巻線の発熱で前記油溜り１０を加熱して油中から液冷媒を排出できるのである。
【００２２】
また、以上のような電動機１３の加熱により液冷媒が排出されて前記第１及び第２条件を逸脱したとき、前記加熱制御手段８に備えた前記液排出検出手段７で前記油中からの液冷媒排出が検出され、この検出で前記第４，第５スイッチＳ４，Ｓ５がオフ動作させられ、前記電動機１３の欠相通電による加熱が停止させられるのである。
【００２３】
さらに、前記加熱制御手段８により前記三相電動機１３の加熱を制御するにあたっては、図２の（イ）で示すように、前記第４，第５スイッチＳ４，Ｓ５を前記加熱制御手段８で設定された所定の設定時間ｔ１，ｔ２，ｔ３・・ごとにオン．オフ動作させて、前記電動機１３の断続的な加熱を行うのである。前記設定時間ｔ１，ｔ２，ｔ３，・・・・のうち、最初の設定オン時間ｔ１は、前記設定温度(Ｔ０)で前記第４，第５スイッチＳ４，Ｓ５がオン動作されて欠相通電による加熱を行うとき、前記電動機１３の温度上限値ｆに達するまでの時間を基に設定するのであり、また、次の設定オフ時間ｔ２は、前記電動機１３の温度が前記設定温度(Ｔ０)より高い所定温度に低下するまでの時間を基に設定するのであり、更に次の設定オン時間ｔ３は、設定オフ時間ｔ２により低下する温度から前記電動機１３の温度上限値ｆに達するまでの時間を基に設定するのであって、以後前記設定オフ時間ｔ２及び設定オン時間ｔ３と同様に設定するのである。
【００２４】
従って、以上の設定時間ｔ１，ｔ２，ｔ３・・・・で繰り返す断続通電により、前記電動機１３の温度は図１（ハ）のように変化し、前記電動機１３の上限温度値ｆを超えるのを回避できるのであって、欠相通電による加熱で電動機１３に悪影響を及ぼすことはない。
【００２５】
また、以上の加熱によって前記油溜り１０の温度は、上昇するのであるが、液冷媒が存在している間は、図２（ロ）の曲線ａのようにその温度上昇は小さい。そして、液冷媒が排出されるに従って、温度上昇勾配は大きくなり、液冷媒が排出されると、その温度勾配は変曲点ｂを介して、曲線ｃのようにその温度勾配は急勾配となる。
【００２６】
従って、前記胴体温度Ｔ１を検出する第１温度検出センサー６１からの温度情報により、その温度勾配つまり、温度の変化率を演算できるし、この温度勾配から液冷媒の排出を検出できるのであって、前記液排出検出手段７は、前記加熱制御手段８のＣＰＶを用いることにより構成できる。そして、以上のように前記液排出検出手段７により検出する液冷媒排出の検出結果に基づいて前記電動機１３の欠相通電による加熱を停止させるのである。
【００２７】
尚、前記液排出検出手段７は、前記第１温度センサー６１で検出する胴体温度Ｔ１からその温度勾配をみて液冷媒排出を検出するようにしたが、前記胴体温度Ｔ１の絶対値から液冷媒の排出を検出するようにしてもよいし、また、温度勾配と絶対値とにより検出するようにしてもよい。
【００２８】
次に、以上の構成による作用について説明する。前記冷凍装置の暖房運転を行った後に運転を停止したようなとき、先ず、前記各温度検出センサー６１，６２により前記胴体温度Ｔ１と周囲温度Ｔ２とが検出され、これら胴体温度Ｔ１及び周囲温度Ｔ２が前記加熱制御手段８に入力されて、該加熱制御手段８が前記第１条件（Ｔ１＜Ｔ０）と第２条件（ΔＴ≧ΔＴ０）との何れか一方を満足していることを確認したとき、前記油溜り１０に液冷媒の寝込みが発生していると判断されて、前記加熱制御手段８から液冷媒の寝込み信号が出力され、これに伴い前記第４，第５スイッチＳ４，Ｓ５がオン動作されて前記電動機１３に欠相通電され、この欠相通電による発熱で前記油溜り１０が加熱されて油中から液冷媒が排出されるのである。
【００２９】
また、以上のような電動機１３の加熱により液冷媒が排出されて前記第１及び第２条件を逸脱したとき、前記液排出検出手段７による出力で前記第４，第５スイッチＳ４，Ｓ５がオフ動作されて、前記電動機１３による加熱が停止されるのである。
【００３０】
また、以上のような電動機１３の欠相通電による加熱は、図２の（イ）で示したように、予め設定された所定の設定時間ｔ１，ｔ２，ｔ３・・・・ごとに前記電動機１３に断続的に通電されるのであって、この電動機１３に欠相通電が行われても、電動機１３の温度は、図１（ハ）で示すように、該電動機１３に悪影響を与えない温度上限値ｆの範囲内に抑えられるのである。また、液排出検出手段７により液冷媒排出が検出されると、前記電動機１３への通電が停止されるのである。従って、前記三相電動機１３を欠相通電して加熱するにも拘らず、該電動機１３に悪影響を及ぼしたりすることなく、しかもこの電動機１３への通電時間を短くして、少ない電気代でランニングコストを低廉にできながら、前記ケーシング１１内の油溜り１０に液冷媒が寝込むのを防止できるのである。
【００３１】
さらに、欠相通電により加熱するようにしているから、その発熱量を従来例の低電圧通電による場合に比較して増大させることができ、前記油溜り１０内の液冷媒を短時間で確実に排出できるのであって、このことによっても電気代を少なくできるのである。
【００３２】
【発明の効果】
以上説明したように、請求項１記載の発明によれば、圧縮要素１２と三相電動機１３とをケーシング１１に内装した圧縮機１の油溜り１０に、液冷媒が寝込むのを防ぐ液冷媒排出装置であって、前記油溜り１０への液冷媒の寝込みを検出する寝込み検出手段６と、前記油溜り１０からの液冷媒の排出を検出する液排出検出手段７と、前記寝込み検出手段６による液冷媒の寝込み検出時、前記三相電動機１３を単相通電して加熱させ、かつ、この加熱を予め設定する設定時間ごとに制御し、前記液排出検出手段７による液冷媒の排出検出時、前記加熱を停止する加熱制御手段８とを備えたから、記ケーシング１１の油溜り１０に液冷媒の寝込みが発生したとき、その寝込みを前記寝込み手段６で検出し、この検出結果に基づく前記加熱制御手段８からの出力信号により前記三相電動機１３に欠相通電して、前記ケーシング１の油溜り１０を効率よく加熱できるし、また、この加熱は所定の設定時間ごとに断続的に加熱制御するのであるから、電動機１３への悪影響少なく加熱できて、前記油溜り１０への液冷媒の寝込みを防止できる。
【００３３】
その上、以上の加熱制御により前記油溜り１０から液冷媒が排出されたときには、加熱を停止するようにしているから、つまり、従来のように、各温度検出センサーで検出される検出温度と予め設定された設定温度とが特定の条件下にある限り連続して行うのではなく、前記電動機１３への欠相通電を所定設定時間ごとに断続的に行うようにした上で前記液排出検出手段７が作動したときには寝込み検出手段６が作動していても、前記電動機１３の加熱運転を停止するようにしたから、前記三相電動機１３に悪影響を及ぼしたりすることなく、この電動機１３への通電時間を短縮でき、少ない電気代でランニングコストを低廉にできながら、前記ケーシング１１内の油溜り１０に液冷媒が寝込むのを防止することができるのである。
【００３４】
しかも、前記油溜り１０を加熱するに際して、従来のように低電圧通電により行うものでなく、欠相通電により行うものであるから、その発熱量を増大させることができ、このため、前記油溜り１０内の液冷媒を短時間で確実に排出でき、このことによっても電気代を少なくできるのである。
【００３５】
また、請求項２記載によれば、前記寝込み検出手段６が、前記液溜り１０を含むケーシング１１の胴体温度Ｔ１を検出する第１温度検出センサー６１と、前記圧縮機１の吸入側に接続される熱交換器４を含む周囲温度Ｔ２を検出する第２温度検出センサー６２とを備え、前記胴体温度Ｔ１が予め設定する設定温度Ｔ０より低いときと、前記周囲温度Ｔ２と胴体温度Ｔ１との温度差ΔＴが、予め設定する設定温度差ΔＴ０以上のときとの何れか一方を満足するとき、寝込み信号を出力するようにしているため、前記寝込み検出手段６の検出結果に基づき前記加熱制御手段８で前記電動機１３の加熱制御を行う場合、前記圧縮機１の油溜り１０に液冷媒の寝込みが発生しているのを直接的に、また、正確に検出できるのである。従って、前記三相電動機１３への欠相通電時間をより少なくし、電気代の節約を一層効果的に行うことができてランニングコストを低廉にできながら、前記油溜り１０への液冷媒の寝込みを一層良好かつ正確に防止できるのである。
【図面の簡単な説明】
【図１】本発明にかかる圧縮機の液冷媒排出装置を備えた冷凍装置の配管系統図である。
【図２】同液冷媒排出装置の制御態様を説明する説明図である。
【図３】従来の液冷媒排出装置を備えた冷凍装置の配管系統図である。
【符号の説明】
１……圧縮機
１０…油溜り
１１…ケーシング
１２…圧縮要素
１３…三相電動機
４……熱交換器
６……寝込み検出手段
６１…第１温度検出センサー
６２…第２温度検出センサー
７……液排出検出手段
８……加熱制御手段
【図１】
0003731214.tif 000002
【図２】
0003731214.tif 000003
【図３】
0003731214.tif 000004